(57)【要約】【課題】投影画像の視認性を向上させる。【解決手段】投影対象のコンテンツから特徴量を抽出する抽出部２３と、投影領域を光量に応じた複数の分割領域に分割する分割部２４と、特徴量と複数の分割領域とに基づいて、投影領域に対するコンテンツの配置を決定する決定部２５と、配置に基づいてコンテンツの投影画像データを生成する生成部２６と、を備える。【選択図】図２
2013178400.tif 000002
【特許請求の範囲】
【請求項１】
投影対象のコンテンツから特徴量を抽出する抽出部と、
投影領域を光量に応じた複数の分割領域に分割する分割部と、
前記特徴量と前記複数の分割領域とに基づいて、前記投影領域に対する前記コンテンツの配置を決定する決定部と、
前記配置に基づいて前記コンテンツの投影画像データを生成する生成部と、
を備える画像投影装置。
【請求項２】
前記決定部は、前記特徴量から定まる特徴領域と所定の分割領域との位置関係に基づいて、前記投影領域に対する前記コンテンツの位置を予め定められた位置から移動する請求項１に記載の画像投影装置。
【請求項３】
前記決定部は、前記特徴量から定まる特徴領域と所定の分割領域との位置関係に基づいて、前記投影領域に対する前記コンテンツのレイアウトを変更する請求項１に記載の画像投影装置。
【請求項４】
前記特徴領域は、文字領域であり、
前記所定の分割領域は、前記複数の分割領域のうち前記光量が適切な分割領域よりも前記光量が少ない分割領域である請求項１〜３のいずれか１つに記載の画像投影装置。
【請求項５】
前記特徴領域は、複数の文字領域のうち他の文字領域よりも文字が小さい文字領域である請求項４に記載の画像投影装置。
【請求項６】
前記特徴領域は、カラー文字を含む文字領域である請求項４に記載の画像投影装置。
【請求項７】
前記特徴領域は、ユーザにより指定された文字を含む文字領域である請求項４に記載の画像投影装置。
【請求項８】
前記特徴量は、前記コンテンツの輝度を示す輝度情報である請求項１〜３のいずれか１つに記載の画像投影装置。
【請求項９】
抽出部が、投影対象のコンテンツから特徴量を抽出する抽出ステップと、
分割部が、投影領域を光量に応じた複数の分割領域に分割する分割ステップと、
決定部が、前記特徴量と前記複数の分割領域とに基づいて、前記投影領域に対する前記コンテンツの配置を決定する決定ステップと、
生成部が、前記配置に基づいて前記コンテンツの投影画像データを生成する生成ステップと、
を含む画像生成方法。
【請求項１０】
投影対象のコンテンツから特徴量を抽出する抽出ステップと、
投影領域を光量に応じた複数の分割領域に分割する分割ステップと、
前記特徴量と前記複数の分割領域とに基づいて、前記投影領域に対する前記コンテンツの配置を決定する決定ステップと、
前記配置に基づいて前記コンテンツの投影画像データを生成する生成ステップと、
をコンピュータに実行させるためのプログラム。
【発明の詳細な説明】
【技術分野】
【０００１】
本発明は、画像投影装置、画像生成方法及びプログラムに関する。
【背景技術】
【０００２】
従来から、コンテンツの画像を投影するプロジェクタ等の画像投影装置において、投影画面上の光度を均一にする技術が知られている。例えば、投影レンズ（光源）から遠くなる程、光りを集めるように光学系を設計することで、投影画面上の光度を均一にする技術がある。
【０００３】
ところで、投影レンズに短焦点レンズを用いた画像投影装置のように、投影画像を斜め方向に投影し、短距離での大画面の投影が可能な画像投影装置では、投影レンズとの距離が近い投影画面上の領域と投影レンズとの距離が遠い投影画面上の領域とでは、投影レンズとの距離が数倍程度異なることもある。このため、上述したような技術を採用しても、投影画面上の光度を均一にすることが困難であり、投影画像の視認性の低下を招いていた。
【０００４】
そこで、光度ではなく投影画像を調整して、投影画像の視認性の低下を防止する手法が考えられる。例えば、特許文献１には、投影スクリーンの形状を測定し、測定結果に基づいて投影画像データを補正する技術が開示されている。
【発明の概要】
【発明が解決しようとする課題】
【０００５】
しかしながら、上述したような従来技術では、光量に応じた処理を行っているわけではないため、光度の影響による投影画像の視認性の低下を防ぐことは難しい。
【０００６】
本発明は、上記事情に鑑みてなされたものであり、投影画像の視認性を向上させることができる画像投影装置、画像生成方法及びプログラムを提供することを目的とする。
【課題を解決するための手段】
【０００７】
上述した課題を解決し、目的を達成するために、本発明の一態様にかかる画像投影装置は、投影対象のコンテンツから特徴量を抽出する抽出部と、投影領域を光量に応じた複数の分割領域に分割する分割部と、前記特徴量と前記複数の分割領域とに基づいて、前記投影領域に対する前記コンテンツの配置を決定する決定部と、前記配置に基づいて前記コンテンツの投影画像データを生成する生成部と、を備える。
【０００８】
また、本発明の別の態様にかかる画像生成方法は、抽出部が、投影対象のコンテンツから特徴量を抽出する抽出ステップと、分割部が、投影領域を光量に応じた複数の分割領域に分割する分割ステップと、決定部が、前記特徴量と前記複数の分割領域とに基づいて、前記投影領域に対する前記コンテンツの配置を決定する決定ステップと、生成部が、前記配置に基づいて前記コンテンツの投影画像データを生成する生成ステップと、を含む。
【０００９】
また、本発明の別の態様にかかるプログラムは、投影対象のコンテンツから特徴量を抽出する抽出ステップと、投影領域を光量に応じた複数の分割領域に分割する分割ステップと、前記特徴量と前記複数の分割領域とに基づいて、前記投影領域に対する前記コンテンツの配置を決定する決定ステップと、前記配置に基づいて前記コンテンツの投影画像データを生成する生成ステップと、をコンピュータに実行させるためのものである。
【発明の効果】
【００１０】
本発明によれば、投影画像の視認性を向上させることができるという効果を奏する。
【図面の簡単な説明】
【００１１】
【図１】図１は、第１実施形態のプロジェクタの投影画面上の光度の一例の説明図である。
【図２】図２は、第１実施形態のプロジェクタの構成の一例を示すブロック図である。
【図３】図３は、第１実施形態の抽出部による像域分離処理結果の一例を示す図である。
【図４】図４は、第１実施形態の分割部による投影領域の分割結果の一例を示す図である。
【図５】図５は、第１実施形態の決定部による投影領域に対するコンテンツの配置決定結果の一例を示す図である。
【図６】図６は、第１実施形態の決定部による投影領域に対するコンテンツの配置決定結果の比較例を示す図である。
【図７】図７は、第１実施形態のプロジェクタで実行される処理の一例を示すフローチャートである。
【図８】図８は、第１実施形態の決定部で実行される処理の詳細例を示すフローチャートである。
【図９】図９は、第２実施形態のプロジェクタの構成の一例を示すブロック図である。
【図１０】図１０は、第２実施形態の決定部による投影領域に対するコンテンツの配置決定結果の一例を示す図である。
【図１１】図１１は、第２実施形態の決定部で実行される処理の詳細例を示すフローチャートである。
【発明を実施するための形態】
【００１２】
以下、添付図面を参照しながら、本発明にかかる画像投影装置、画像生成方法及びプログラムの実施形態を詳細に説明する。以下の各実施形態では、本発明の画像投影装置を、短焦点レンズを用いたプロジェクタに適用した場合を例に取り説明するが、これに限定されるものではない。
【００１３】
（第１実施形態）
まず、第１実施形態のプロジェクタ１０の構成について説明する。
【００１４】
図１は、第１実施形態のプロジェクタ１０の投影画面２上の光度の一例の説明図である。プロジェクタ１０は、投影レンズ１１に短焦点レンズを用いた短焦点プロジェクタであり、図１に示すように、斜め上方向への投影を行い、図示せぬスクリーン上に短距離で投影画面２を投影している。このため、投影画面２の上側になるほど、投影レンズ１１との距離が遠くなり、光量が少なくなるので、投影画面２の上側は暗く、投影画面２の下側は明るすぎ、投影画面２の中央（上下方向の中央）は適切な明るさとなっている。
【００１５】
図２は、第１実施形態のプロジェクタ１０の構成の一例を示すブロック図である。図２に示すように、プロジェクタ１０は、制御ユニット２０と、投影ユニット３０とを、備える。
【００１６】
制御ユニット２０は、機器情報記憶部２１と、入力受付部２２と、抽出部２３と、分割部２４と、決定部２５と、生成部２６とを、備える。機器情報記憶部２１は、例えば、ＨＤＤ（Hard  Disk  Drive）、ＳＳＤ（Solid  State  Drive）、ＲＯＭ（Read  Only  Memory）、メモリカードなどの磁気的、光学的、又は電気的に記憶可能な記憶装置の少なくともいずれかにより実現できる。入力受付部２２、抽出部２３、分割部２４、決定部２５、及び生成部２６は、例えば、ＣＰＵ（Central  Processing  Unit）などの処理装置にプログラムを実行させること、即ち、ソフトウェアにより実現してもよいし、ＩＣ（Integrated  Circuit）などのハードウェアにより実現してもよいし、ソフトウェア及びハードウェアを併用して実現してもよい。
【００１７】
機器情報記憶部２１は、プロジェクタ１０に関する情報を記憶するものであり、第１実施形態では、投影画面２上の領域（以下、投影領域と称する）の割合を記憶する。具体的には、機器情報記憶部２１は、投影レンズ１１との距離が近い投影領域の割合、及び投影レンズ１１との距離が遠い投影領域の割合を記憶する。
【００１８】
ここで、プロジェクタ１０は、前述したように、斜め上方向への投影を行うため、第１実施形態では、投影領域の下からα割の領域が、投影レンズ１１との距離が近い投影領域であり、投影領域の上からβ割の領域が、投影レンズ１１との距離が遠い投影領域であるものとする。なお、α及びβの値は、プロジェクタ１０の特性に応じて定まる。
【００１９】
このため第１実施形態では、機器情報記憶部２１は、投影レンズ１１との距離が近い投影領域の割合として投影領域の下からα割、投影レンズ１１との距離が遠い投影領域の割合として投影領域の上からβ割を記憶する。
【００２０】
なお第１実施形態では、α及びβの値を機器情報記憶部２１に記憶する例について説明したが、これに限定されるものではなく、図示せぬ入力装置などから入力できるようにしてもよい。例えば、α及びβの比率を調整できるつまみなどを入力装置にすれば、領域設定精度が高まり、ひいては、投影画像の視認性の精度向上などにつながる。
【００２１】
入力受付部２２は、ＰＣ（Personal  Computer）などの図示せぬ情報処理装置から、投影対象のコンテンツの入力を受け付ける。第１実施形態では、入力受付部２２は、投影対象のコンテンツとして画像データを受け付けるものとするが、これに限定されるものではない。
【００２２】
抽出部２３は、入力受付部２２により受け付けられた投影対象のコンテンツから特徴量を抽出する。第１実施形態では、抽出部２３は、入力受付部２２により受け付けられた画像データに像域分離処理を施して特徴量を抽出し、抽出した特徴量から特徴領域を特定する。第１実施形態では、特徴領域を文字領域とするが、これに限定されるものではない。
【００２３】
図３は、第１実施形態の抽出部２３による像域分離処理結果の一例を示す図である。図３に示す例では、抽出部２３は、入力受付部２２により受け付けられた画像データ４０に像域分離処理を施し、画像データ４０を文字領域４１と図・写真領域４２とに分離することで文字領域４１を特定している。
【００２４】
分割部２４は、投影領域を光量に応じた複数の分割領域に分割する。具体的には、分割部２４は、機器情報記憶部２１からα及びβの値を取得し、投影領域の下からα割の分割領域（以下、α領域と称する）、投影領域の上からβ割の分割領域（以下、β領域と称する）、及び残りの分割領域（以下、γ領域と称する）に分割する。ここで、α領域は、光量が多く明るすぎる投影領域であり、β領域は、光量が少なく暗い投影領域であり、γ領域は、光量が適切で適切な明るさの投影領域である。
【００２５】
図４は、第１実施形態の分割部２４による投影領域の分割結果の一例を示す図である。図４に示す例では、分割部２４は、投影領域５０を、β領域５１とγ領域５２とα領域５３とに分割している。
【００２６】
決定部２５は、抽出部２３により抽出されたコンテンツの特徴量と分割部２４により分割された複数の分割領域とに基づいて、投影領域に対するコンテンツの配置を決定する。具体的には、決定部２５は、コンテンツの特徴量から定まる特徴領域と所定の分割領域との位置関係に基づいて、投影領域に対するコンテンツの位置を予め定められた位置から移動する。所定の分割領域とは、例えば、複数の分割領域のうち光量が適切な分割領域よりも光量が少ない分割領域であり、第１実施形態では、β領域が該当する。
【００２７】
第１実施形態では、決定部２５は、抽出部２３により特定された文字領域が分割部２４により分割されたβ領域（暗い投影領域）に位置する場合、投影領域に対してコンテンツの位置を下側にずらす。これは、コンテンツの文字領域を暗い投影領域に投影してしまうと、文字の視認性が低下してしまうためであり、投影領域に対してコンテンツの位置を下側にずらすことで、コンテンツの文字領域を適切な明るさの投影領域に投影することが可能となり、文字の視認性を高めることができるためである。
【００２８】
図５は、第１実施形態の決定部２５による投影領域に対するコンテンツの配置決定結果の一例を示す図であり、図６は、第１実施形態の決定部２５による投影領域に対するコンテンツの配置決定結果の比較例を示す図である。
【００２９】
図４に示す投影領域に対して図３に示すコンテンツをそのまま配置すると、図６に示すように、文字領域４１がβ領域（暗い投影領域）に位置してしまい、文字の視認性が低下してしまう。このため第１実施形態では、決定部２５は、図５に示すように、投影領域に対するコンテンツの配置を下側にずらしている。この結果、図５に示すように、文字領域４１はγ領域５２（適切な明るさの投影領域）に位置し、文字の視認性を向上させることができる。
【００３０】
生成部２６は、決定部２５により決定された配置に基づいてコンテンツの投影画像データを生成し、投影ユニット３０に出力する。
【００３１】
投影ユニット３０は、ＶＲＡＭ（Video  Random  Access  Memory）３１と、グラフィックコントローラ３２と、投影部３３とを、備える。
【００３２】
ＶＲＡＭ３１には、制御ユニット２０（生成部２６）により出力された投影画像データが書き込まれる。
【００３３】
グラフィックコントローラ３２は、ＶＲＡＭ３１に書き込まれた投影画像データをビデオ信号に変換する。
【００３４】
投影部３３は、グラフィックコントローラ３２により変換されたビデオ信号を投影することで、図示せぬスクリーンに投影画像を投影する。これにより図示せぬスクリーンには、投影画像の投影画面が表示される。
【００３５】
なお、プロジェクタ１０は、上述した各部の全てを必須の構成とする必要はなく、その一部を省略した構成としてもよい。
【００３６】
次に、第１実施形態のプロジェクタの動作について説明する。
【００３７】
図７は、第１実施形態のプロジェクタ１０で実行される処理の一例を示すフローチャートである。
【００３８】
まず、入力受付部２２は、ＰＣ（Personal  Computer）などの図示せぬ情報処理装置から、投影対象のコンテンツの入力を受け付ける（ステップＳ１０）。
【００３９】
続いて、抽出部２３は、入力受付部２２により受け付けられた投影対象のコンテンツ（画像データ）に像域分離処理を施して特徴量を抽出し、抽出した特徴量から文字領域を抽出する（ステップＳ２０）。
【００４０】
続いて、分割部２４は、機器情報記憶部２１からα及びβの値を取得し、投影領域をα領域（明るすぎる投影領域）、β領域（暗い投影領域）、及びγ領域（適切な明るさの投影領域）に分割する（ステップＳ３０）。
【００４１】
続いて、決定部２５は、抽出部２３により特定された文字領域と分割部２４により分割されたβ領域（暗い投影領域）との位置関係に基づいて、投影領域に対するコンテンツの配置を決定する（ステップＳ４０）。
【００４２】
図８は、第１実施形態の決定部２５で実行される処理の詳細例を示すフローチャートである。
【００４３】
まず、決定部２５は、抽出部２３により特定された文字領域の座標を取得する（ステップＳ４１）。ここで、文字領域の座標は、図３に示すとおり、ｘ軸及びｙ軸の２次元座標で表されるものとする。なお、実際には、決定部２５は、文字領域の座標だけでなく、図・写真領域など他の領域の座標やコンテンツ（画像データ）全体の座標も取得している。
【００４４】
続いて、決定部２５は、分割部２４により分割された光量の少ないβ領域（暗い投影領域）の座標を取得する（ステップＳ４２）。ここで、β領域の座標も、図４に示すとおり、ｘ軸及びｙ軸の２次元座標で表されるものとする。なお、実際には、決定部２５は、β領域の座標だけでなく、α領域の座標、γ領域の座標、及び投影領域全体の座標も取得している。
【００４５】
続いて、決定部２５は、文字領域上端のｙ座標が、β領域下端のｙ座標よりも大きいか否かを確認する（ステップＳ４３）。
【００４６】
文字領域上端のｙ座標がβ領域下端のｙ座標よりも大きい場合（ステップＳ４３でＹｅｓ）、決定部２５は、投影領域に対してコンテンツの配置を下側にずらすことが可能なずらし可能距離を算出する（ステップＳ４４）。なお、ずらし可能距離は、コンテンツの最下部に位置する領域（例えば、図３では図・写真領域４２）下端のｙ座標−投影領域下端のｙ座標で表される。これにより、決定部２５は、投影領域に対するコンテンツ（画像データ）の配置を、投影領域に対する予め定められたコンテンツ（画像データ）の位置からずらし可能距離下側にずらした位置に決定する。
【００４７】
一方、文字領域上端のｙ座標がβ領域下端のｙ座標以下である場合（ステップＳ４３でＮｏ）、決定部２５は、ステップＳ４４の処理を行わない。つまり、決定部２５は、投影領域に対するコンテンツ（画像データ）の配置を、投影領域に対する予め定められたコンテンツ（画像データ）の位置に決定する。
【００４８】
図７に戻り、続いて、生成部２６は、決定部２５により決定された配置に基づいてコンテンツの投影画像データを生成し、投影ユニット３０に出力する（ステップＳ５０）。具体的には、生成部２６は、コンテンツ（画像データ）のｙ座標を、決定部２５により決定されたずらし可能距離分減じて（引いて）、投影ユニット３０のＶＲＡＭ３１に書き込む。これにより、コンテンツの投影画像を投影する際に、コンテンツの全てを投影画面に収めたまま文字領域を可能な範囲まで適切な明るさの領域にずらすことができる。なお、生成部２６は、コンテンツ（画像データ）を変倍する場合には、ずらし可能距離も変倍率に合わせて変倍し、変倍後のコンテンツ（画像データ）のｙ座標から減じればよい。
【００４９】
続いて、投影ユニット３０は、ＶＲＡＭ３１に書き込まれた投影画像データをビデオ信号に変換し、変換したビデオ信号を投影することで、図示せぬスクリーンに投影画像を投影する（ステップＳ６０）。
【００５０】
以上のように、第１実施形態によれば、コンテンツの特徴領域と所定の分割領域との位置関係に基づいて、投影領域に対するコンテンツの位置を予め定められた位置から移動するので、コンテンツのレイアウトを崩さずに、コンテンツの視認性を高めることが可能となる。
【００５１】
特に第１実施形態によれば、コンテンツの文字領域が暗い投影領域に位置する場合、投影領域に対してコンテンツの位置を下側（明るい投影領域側）にずらすので、コンテンツの文字領域を適切な明るさの投影領域に投影することが可能となり、文字の視認性を高めることができる。
【００５２】
（第２実施形態）
第２実施形態では、投影領域に対してコンテンツのレイアウトを変更する例について説明する。なお以下では、第１実施形態との相違点の説明を主に行い、第１実施形態と同様の機能を有する構成要素については、第１実施形態と同様の名称・符号を付し、その説明を省略する。
【００５３】
図９は、第２実施形態のプロジェクタ１００の構成の一例を示すブロック図である。図９に示すように、プロジェクタ１００は、制御ユニット１２０の決定部１２５が第１実施形態と相違する。
【００５４】
決定部１２５は、コンテンツの特徴量から定まる特徴領域と所定の分割領域との位置関係に基づいて、投影領域に対するコンテンツのレイアウトを変更する。所定の分割領域とは、例えば、複数の分割領域のうち光量が適切な分割領域よりも光量が少ない分割領域であり、第２実施形態では、β領域が該当する。
【００５５】
第２実施形態では、決定部１２５は、抽出部２３により特定された文字領域が分割部２４により分割されたβ領域（暗い投影領域）に位置する場合、コンテンツの文字領域とコンテンツの他の領域（例えば、図・写真領域）とを入れ替える。ここで、コンテンツの他の領域は、α領域及びγ領域の少なくともいずれかに位置するものとする。なお、コンテンツのレイアウトを変更する技術は、既に様々な技術が知られているため、ここでは、その詳細の説明は省略する。
【００５６】
図１０は、第２実施形態の決定部１２５による投影領域に対するコンテンツの配置決定結果の一例を示す図である。第２実施形態では、決定部１２５は、図１０に示すように、投影領域５０に対して、図３に示す画像データ４０の文字領域４１と図・写真領域４２とを入れ替えた画像データ１４０をそのまま配置している。この結果、図１０に示すように、文字領域４１はα領域５３及びγ領域５２に位置し、文字の視認性を向上させることができる。
【００５７】
図１１は、第２実施形態の決定部１２５で実行される処理の詳細例を示すフローチャートである。
【００５８】
まず、ステップＳ１４１〜Ｓ１４３の処理は、図８のステップＳ４１〜４３の処理と同様である。
【００５９】
文字領域上端のｙ座標がβ領域下端のｙ座標よりも大きい場合（ステップＳ１４３でＹｅｓ）、決定部１２５は、文字領域とコンテンツの他の領域（例えば、図・写真領域）とを入れ替える（ステップＳ１４４）。
【００６０】
以上のように、第２実施形態によれば、コンテンツの特徴領域と所定の分割領域との位置関係に基づいて、投影領域に対するコンテンツのレイアウトを変更するので、特徴領域（より広義にはコンテンツを構成する要素）の特性に応じた投影領域に特徴領域を配置でき、コンテンツの視認性を高めることが可能となる。
【００６１】
特に第２実施形態によれば、コンテンツの文字領域が暗い投影領域に位置する場合、当該文字領域を明るすぎる投影領域又は適切な明るさの投影領域に位置する図・写真領域と入れ替えるので、コンテンツの文字領域を明るすぎる投影領域又は適切な明るさの投影領域に投影することが可能となり、文字の視認性を高めることができる。
【００６２】
（変形例）
なお、本発明は、上記実施形態に限定されるものではなく、種々の変形が可能である。
【００６３】
（変形例１）
例えば上記各実施形態において、特徴領域を文字領域としたが、文字領域が複数存在する場合には、複数の文字領域のうち他の文字領域よりも文字が小さい文字領域（例えば、フォントサイズが一番小さい文字領域）を特徴領域とし、当該文字領域を暗い投影領域以外の投影領域に配置するようにしてもよい。
【００６４】
このようにすれば、文字の視認性を更に高めることができる。特に第２実施形態の手法では、全ての文字領域を暗い投影領域以外の投影領域に配置することが困難な場合も想定されるので、より効果的である。
【００６５】
（変形例２）
例えば上記各実施形態において、特徴領域を文字領域としたが、カラー文字を含む文字領域を特徴領域とし、当該文字領域を適切な明るさの投影領域に配置するようにしてもよい。
【００６６】
プレゼンテーションなどの場合においては、重要と思われる文言はカラー文字で記述されることが多いため、このようにすれば、重要な文字を優先して視認性を高めることができる。特に第２実施形態の手法では、全ての文字領域を暗い投影領域以外の投影領域に配置することが困難な場合も想定されるので、より効果的である。
【００６７】
（変形例３）
例えば上記各実施形態において、特徴領域を文字領域としたが、ユーザにより指定された文字を含む文字領域を特徴領域とし、当該文字領域を適切な明るさの投影領域に配置するようにしてもよい。この場合、決定部は、特定された文字領域にＯＣＲ（Optical  Character  Reader）などの文字認識処理を施し、当該文字領域にユーザにより指定された文字を含むか否かを判断すればよい。
【００６８】
このようにすれば、ユーザが一番認識させたい文字領域の文字を優先して視認性を高めることができる。特に第２実施形態の手法では、全ての文字領域を暗い投影領域以外の投影領域に配置することが困難な場合も想定されるので、より効果的である。
【００６９】
（変形例４）
上述した変形例１〜変形例３では、文字の大きさ、文字の色、キーワードなどを例に取り、文字領域に優先順位を付け、優先順位の高い文字領域を暗い投影領域以外の投影領域に配置する例について説明したが、上述した手法に限定されず、文字領域に優先順位を付ける手法であればどのような手法でも適用できる。
【００７０】
（変形例５）
上記各実施形態では、コンテンツの特徴量に像域分離処理結果を用いたが、これに限定されず、輝度などを用いてもよい。この場合、抽出部２３は、ＹＵＶ色空間の画像データからＹ信号を抽出することにより、輝度に応じた領域を特徴領域とすることができる。これにより、コンテンツの暗い要素を明るすぎる投影領域や適切な明るさの投影領域に配置したり、コンテンツの明るい要素を暗い投影領域や適切な明るさの投影領域に配置したりすることができる。また例えば、コンテンツの各要素の平均輝度値を算出し、輝度が高いものから順に暗い投影領域、適切な明るさの投影領域、明るすぎる投影領域に配置したりすることもできる。
【００７１】
（変形例６）
上記各実施形態では、コンテンツの全てを投影画面に収めたままコンテンツをずらしたり、コンテンツのレイアウトを変更したりする手法を説明したが、サイズが固定された表示ウィンドウ中に選択されたテキストを読めるように表示するスマートネイル技術（例えば、米国特許出願公開第２００６／０１３６４９１号明細書参照）や重要度の高い部分画像の割合が大きくなるように配置する技術（例えば、特開２００７−１１６６１１号公報参照）などを応用することもできる。
【００７２】
（ハードウェア構成）
上記各実施形態及び変形例のプロジェクタは、ＣＰＵなどの制御装置と、ＲＯＭやＲＡＭなどの記憶装置と、ＨＤＤやＳＳＤなどの外部記憶装置と、投影機などの投影装置と、キースイッチなどの入力装置と、ＮＩＣなどの通信Ｉ／Ｆとを、備えており、通常のコンピュータを利用したハードウェア構成で実現できる。
【００７３】
上記各実施形態及び変形例のプロジェクタで実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００７４】
また、上記各実施形態及び変形例のプロジェクタで実行されるプログラムを、インターネット等のネットワークに接続されたコンピュータ上に格納し、ネットワーク経由でダウンロードさせることにより提供するようにしてもよい。また、上記各実施形態及び変形例のプロジェクタで実行されるプログラムを、インターネット等のネットワーク経由で提供または配布するようにしてもよい。また、上記各実施形態及び変形例のプロジェクタで実行されるプログラムを、ＲＯＭ等に予め組み込んで提供するようにしてもよい。
【００７５】
上記各実施形態及び変形例のプロジェクタで実行されるプログラムは、上述した各部をコンピュータ上で実現させるためのモジュール構成となっている。実際のハードウェアとしては、制御装置が外部記憶装置からプログラムを記憶装置上に読み出して実行することにより、上記各部がコンピュータ上で実現されるようになっている。
【符号の説明】
【００７６】
２  投影画面
１０、１００  プロジェクタ
１１  投影レンズ
２０、１２０  制御ユニット
２１  機器情報記憶部
２２  入力受付部
２３  抽出部
２４  分割部
２５、１２５  決定部
２６  生成部
３０  投影ユニット
３１  ＶＲＡＭ
３２  グラフィックコントローラ
３３  投影部
【先行技術文献】
【特許文献】
【００７７】
【特許文献１】特開２００３−１０６８２６号公報
【図２】
2013178400.tif 000003
【図３】
2013178400.tif 000004
【図７】
2013178400.tif 000005
【図８】
2013178400.tif 000006
【図９】
2013178400.tif 000007
【図１１】
2013178400.tif 000008
【図１】
2013178400.tif 000009
【図４】
2013178400.tif 000010
【図５】
2013178400.tif 000011
【図６】
2013178400.tif 000012
【図１０】
2013178400.tif 000013